(57)【要約】【課題】マルチレイヤネットワークにおいて当該各レイヤのネットワーク２８〜３０を統括管理でき、新たにネットワークが追加された場合でも新たにオペレーションサポートシステムを設ける必要がなく、また一括してサービスパスの開通が行えるマルチレイヤネットワークオペレーションサポートシステム、サービスパス開通方法及び処理プログラム、並びにサービス監視方法及び処理プログラム、及び該処理プログラムを記録した記録媒体の提供。【解決手段】実行順序を記述したシナリオを生成し実行命令に翻訳するシナリオ機能部４と当該実行命令より当該ネットワーク管理の機能を実行し、各レイヤのネットワーク構成に対応して変更自在に設けられるネットワーク管理機能部５とを具備する特徴。【選択図】図１
2004266443.tif 000002
【特許請求の範囲】
【請求項１】
マルチレイヤネットワークを構成する各レイヤのネットワークの統括管理を行うオペレーションサポートシステムであって、
オペレータが使用する外部システムからサービスオーダが送出されると、前記各レイヤのネットワーク間の関係に関する情報と当該レイヤ毎のネットワーク管理の各機能間の関係に関する情報とに基づき、全ての前記レイヤのネットワーク管理の機能を実行する際のシナリオを生成し、当該シナリオから前記ネットワーク管理の機能を実行する際の実行命令を生成するシナリオ機能部と、
当該実行命令より当該ネットワーク管理の機能を実行し、前記各レイヤのネットワーク構成に対応して変更自在に設けられるネットワーク管理機能部と、を具備する、
ことを特徴とするマルチレイヤネットワークオペレーションサポートシステム。
【請求項２】
前記シナリオ機能部は、
前記各レイヤのネットワーク間の関係を記述したレイヤ間関係ベースシナリオと当該レイヤ毎のネットワーク管理の各機能間の関係を記述した機能間関係ベースシナリオとを格納するシナリオデータベースと、
前記レイヤ毎のネットワーク管理の機能の実行命令情報を格納するネットワーク管理情報データベースと、
前記サービスオーダに記述される内容を確認し、当該内容をもとに、前記シナリオデータベースに格納される前記レイヤ間関係ベースシナリオと前記機能間関係ベースシナリオからシナリオを自動生成するシナリオ生成機能部と、
当該シナリオを、前記ネットワーク管理情報データベースに格納される前記実行命令情報をもとに前記ネットワーク管理の機能を実行する際の実行命令に翻訳するシナリオ実行管理機能部と、
前記オペレータが使用する外部システムと前記シナリオ生成機能部及び前記シナリオ実行管理機能部との間での通信を可能とするアプリケーションインターフェースと、を具備する、
ことを特徴とする請求項１に記載のマルチレイヤネットワークオペレーションサポートシステム。
【請求項３】
前記シナリオ機能部は、
前記各レイヤのネットワーク構成情報を格納するネットワーク構成情報データベースを具備し、
前記各レイヤのネットワークからの支障警報が前記ネットワーク管理機能部を介して送出される場合にあっては、
先ず、前記シナリオ生成機能部が、
前記支障警報に記述される支障警報内容を確認し、当該支障警報内容をもとに前記レイヤ間関係ベースシナリオからシナリオを生成し、
次いで、前記シナリオ実行管理機能部が、
当該シナリオを前記ネットワーク構成情報をもとにサービス支障情報に翻訳し、当該サービス支障情報を前記アプリケーションインターフェースを介してオペレータが使用する画面端末装置へ送信する、ように機能構成される、
ことを特徴とする請求項２に記載のマルチレイヤネットワークオペレーションサポートシステム。
【請求項４】
前記シナリオ機能部は、
前記シナリオデータベースに格納される前記レイヤ間関係ベースシナリオと前記機能間関係ベースシナリオ及び前記ネットワーク管理情報データベースに格納される前記実行命令情報を対応編集するシナリオ情報管理機能部をも具備する、ことを特徴とする請求項２又は３に記載のマルチレイヤネットワークオペレーションサポートシステム。
【請求項５】
前記シナリオ実行管理機能部は、
前記ネットワーク管理機能部がシナリオどおりに前記ネットワーク管理の機能を実行しているかを監視し、処理中に異常が発生した場合にはロールバック処理自在に機能構成される、
ことを特徴とする請求項２、３又は４に記載のマルチレイヤネットワークオペレーションサポートシステム。
【請求項６】
前記レイヤ間関係ベースシナリオは、
サービスを構成する前記ネットワークを前記レイヤ別に分解し、前記ネットワークの上位／下位の順序関係を記述したものである、
ことを特徴とする請求項２、３、４又は５に記載のマルチレイヤネットワークオペレーションサポートシステム。
【請求項７】
前記機能間関係ベースシナリオは、
前記レイヤ毎のネットワーク管理の各機能間の連継実行順序関係を記述したものである、
ことを特徴とする請求項２、３、４、５又は６に記載のマルチレイヤネットワークオペレーションサポートシステム。
【請求項８】
前記ネットワーク管理機能部は、
前記各レイヤのネットワークを個別に管理するレイヤ毎の管理機能群を内部に並列構成し、当該レイヤ毎のネットワーク管理機能群が管理する全てのサービスを提供する装置に対して前記ネットワーク管理の機能を実行するレイヤ別ネットワーク管理機能部と、
前記実行命令を前記各レイヤのネットワーク毎の実行命令に分解し、前記各レイヤのネットワーク管理機能群へ振分け送出するとともに、前記レイヤ別ネットワーク管理機能部の全体の統御を行うレイヤ共通機能部と、を具備する、
ことを特徴とする請求項１、２、３、４、５、６又は７に記載のマルチレイヤネットワークオペレーションサポートシステム。
【請求項９】
前記レイヤ別ネットワーク管理機能部は、
前記サービスを提供する装置に対応して内部に構成する前記各レイヤのネットワーク管理機能群を付加又は削除入替え自在に構成する、
ことを特徴とする請求項８に記載のマルチレイヤネットワークオペレーションサポートシステム。
【請求項１０】
前記レイヤ別ネットワーク管理機能部は、
前記シナリオ情報管理機能部に対し、前記ネットワーク管理機能群の付加又は削除入替えに前記レイヤ共通機能部を介して連動自在に接続する、
ことを特徴とする請求項９に記載のマルチレイヤネットワークオペレーションサポートシステム。
【請求項１１】
マルチレイヤネットワークを構成する各レイヤのネットワークを統括管理可能に構築されたオペレーションサポートシステムのサービスパス開通方法であって、
オペレータが使用する外部システムからサービスオーダが送信されると、
前記オペレーションサポートシステムが、
先ず、当該サービスオーダからサービス内容を確認し、
次に、当該サービス内容から前記サービスを構成する前記ネットワークを前記レイヤ別に分解し、当該ネットワークの上位／下位の順序関係に従って開通順序を記述したシナリオを生成し、
続いて、前記レイヤ毎のネットワーク管理の各機能間の連継実行順序関係を当該シナリオに記述し、
さらに、当該シナリオを前記ネットワーク管理の機能を実行する際の実行命令へと翻訳し、
最終的に、当該実行命令に基づき前記ネットワーク管理の機能を実行し、全ての前記レイヤのネットワークの開通を統括的に行う、
ことを特徴とするマルチレイヤネットワークサービスパス開通方法。
【請求項１２】
前記パス開通方法は、
前記実行命令に基づき前記ネットワーク管理の機能を実行した際に、異常が発生した場合には、ロールバック処理を行う、
ことを特徴とする請求項１１に記載のマルチレイヤネットワークサービスパス開通方法。
【請求項１３】
前記パス開通方法は、
前記実行命令に基づき前記ネットワーク管理の機能を実行した後に、前記各レイヤのネットワーク構成情報を収集し、蓄積する、
ことを特徴とする請求項１１又は１２に記載のマルチレイヤネットワークサービスパス開通方法。
【請求項１４】
マルチレイヤネットワークを構成する各レイヤのネットワークを統括管理可能に構築されたオペレーションサポートシステムにインストールされ、実行するサービスパス開通処理プログラムであって、
当該オペレーションサポートシステムがオペレータが使用する外部システムからサービスオーダを受信すると、
先ず、当該サービスオーダからサービス内容を確認させる手順と、
次に、当該サービス内容から前記サービスを構成する前記ネットワークを前記レイヤ別に分解し、前記ネットワークの上位／下位の順序関係に従って開通順序を記述したシナリオを生成させる手順と、
続いて、前記レイヤ毎のネットワーク管理の各機能間の連継実行順序関係を当該シナリオに記述させる手順と、
さらに、当該シナリオを前記ネットワーク管理の機能を実行する際の実行命令へと翻訳させる手順と、
最終的に、当該実行命令に基づき前記ネットワーク管理の機能を実行させる手順と、を一連実行する、
ことを特徴とするマルチレイヤネットワークサービスパス開通処理プログラム。
【請求項１５】
前記パス開通処理プログラムは、
前記実行命令に基づき前記ネットワーク管理の機能を実行した際に、異常が発生した場合には、ロールバック処理を行わせる手順を実行する、
ことを特徴とする請求項１４に記載のマルチレイヤネットワークサービスパス開通処理プログラム。
【請求項１６】
前記パス開通処理プログラムは、
前記実行命令に基づき前記ネットワーク管理の機能を実行した後に、
前記各レイヤのネットワーク構成情報を収集し、蓄積させる手順を実行する、ことを特徴とする請求項１４又は１５に記載のマルチレイヤネットワークサービスパス開通方法。
【請求項１７】
請求項１４、１５又は１６に記載のマルチレイヤネットワークにおけるサービスパス開通処理プログラムを記録した記録媒体であって、
当該プログラムを前記マルチレイヤネットワークを構成する前記各レイヤの前記ネットワークを統括管理可能に構築されたオペレーションサポートシステムに搭載装備して、統括した当該プログラム手順を実践する手続を実録する、
ことを特徴とするマルチレイヤネットワークサービスパス開通処理プログラムを記録した記録媒体。
【請求項１８】
マルチレイヤネットワークを構成する各レイヤのネットワークの統括管理に構築されたオペレーションサポートシステムのサービス監視方法であって、
前記各レイヤのネットワークから支障警報が発出されると、
前記オペレーションサポートシステムが、
先ず、当該支障警報から支障警報内容を確認し、
次に、当該支障警報内容から前記サービスを構成する前記ネットワークを前記レイヤ別に分解し、前記ネットワークの上位／下位の順序関係に従って支障警報の発生順序を記述したシナリオを生成し、
さらに、当該シナリオに前記レイヤ毎のネットワーク構成情報を追記することによりサービス支障情報へと翻訳し、
最終的に、当該サービス支障情報をオペレータが使用する画面端末装置に対して通知する、
ことを特徴とするマルチレイヤネットワークサービス監視方法。
【請求項１９】
マルチレイヤネットワークを構成する各レイヤのネットワークの統括管理可能に構築されたオペレーションサポートシステムにインストールされ、実行するサービス監視処理プログラムであって、
当該オペレーションサポートシステムが前記各レイヤのネットワークから支障警報を受信すると、
先ず、当該支障警報から支障警報内容を確認させる手順と、
次に、当該支障警報内容から前記サービスを構成する前記ネットワークを前記レイヤ別に分解し、前記ネットワークの上位／下位の順序関係に従って支障警報の発生順序を記述したシナリオを生成させる手順と、
さらに、当該シナリオに前記レイヤ毎のネットワーク構成情報を追記することによりサービス支障情報へと翻訳させる手順と、
最終的に、当該サービス支障情報をオペレータが使用する外部装置へ通知させる手順と、を一連実行する、
ことを特徴とするマルチレイヤネットワークサービス監視プログラム。
【請求項２０】
請求項１９に記載のマルチレイヤネットワークにおけるサービス監視処理プログラムを記録した記録媒体であって、
当該プログラムを前記マルチレイヤネットワークを構成する前記各レイヤの前記ネットワークを統括管理可能に構築されたオペレーションサポートシステムに搭載装備して、統括した当該プログラム手順を実践する手続を実録する、
ことを特徴とするマルチレイヤネットワークサービス監視処理プログラムを記録した記録媒体。
【発明の詳細な説明】
【０００１】
【発明の属する技術分野】
本発明は、マルチレイヤネットワーク（複数のレイヤに跨るネットワーク）において、全てのレイヤのネットワーク管理を統括して行うためのマルチレイヤネットワークオペレーションサポートシステム、マルチレイヤネットワークサービスパス開通方法、処理プログラム及び該処理プログラムを記録した記録媒体、並びにマルチレイヤネットワークサービス監視方法、処理プログラム及び該処理プログラムを記録した記録媒体に関する。
【０００２】
【従来の技術】
従来のオペレーションサポートシステムは、単一レイヤのネットワークの管理機能のみを有するものであった。そのため、複数のレイヤのオペレーションを行うためには、その分のオペレーションサポートシステムを用意してオペレーションを行っていた。また、複数のレイヤに跨ったサービスを提供する際には、各レイヤのネットワーク毎にサービスパス開通を行っていた。
【０００３】
ここで、従来のネットワークオペレーションを図１２に示す。図示されるように、例えばＯｐｔｉｃａｌネットワーク２８のオペレーションは、Ｏｐｔｉｃａｌネットワーク用に用意されたオペレーションサポートシステム３６により行われる。
【０００４】
また、図１２を参照して、従来のサービスパス開通方法について説明する。図示されるように、サービス管理システム３２にてオペレータより指示されたサービスオーダ３３を基として、ネットワーク設計システム３４によりネットワーク構成の設計を行い、その設計情報に従ってネットワークのパス開通指示３５ａ〜３５ｃを各レイヤのネットワーク毎に用意されたオペレーションサポートシステム３６〜３８へ送出する。各オペレーションサポートシステム３６〜３８ではこの設計情報に基づいてネットワークの開通処理を行っている。
【０００５】
以下に、従来例について説明されている文献を列挙しておく。
【非特許文献１】
“マルチベンダ環境下でのリング型伝送路網管理方式”早川  正浩、外３名著、電子情報通信学会技術研究報告（交換システム研究会）、ＳＳＥ２０００−３９、ｐ４９−５４、２０００年５月２６日発行
【非特許文献２】
“ＩＰ−ＶＰＮリソース管理システム構成法”大山  全、早川  正浩、外１名著、電子情報通信学会技術研究報告（ＴＭ研究会）、２００２年３月、論文集
【０００６】
【発明が解決しようとする課題】
しかしながら、従来のネットワークオペレーションをマルチレイヤネットワークに適用実施した場合には、マルチレイヤネットワークを構成する各レイヤのネットワーク毎にオペレーションサポートシステムを用意する必要があるため、新たにネットワーク及びサービスを追加する等の変更に対する追随が困難であるという問題が生じていた。
【０００７】
また、従来のように各レイヤのネットワーク毎に開通指示を出す方法をマルチレイヤネットワークに適用実施した場合には、オペレータは各レイヤのネットワーク間の上位／下位の関係を考慮してネットワークのパス開通指示を順番に送出しなければならず、一括してサービスパス開通することができないためオペレータは複雑な処理を強制されているという問題があった。
【０００８】
ここにおいて、本発明の解決すべき主要な目的は以下の通りである。
【０００９】
即ち、本発明の第１の目的は、マルチレイヤネットワークを構成する各レイヤのネットワークを一括して管理でき、新たにネットワークが追加された場合でも新たにオペレーションサポートシステムを設ける必要がないマルチレイヤネットワークオペレーションサポートシステム、マルチレイヤネットワークサービスパス開通方法、処理プログラム及び該処理プログラムを記録した記録媒体、並びにマルチレイヤネットワークサービス監視方法、処理プログラム及び該処理プログラムを記録した記録媒体を提供せんとするものである。
【００１０】
本発明の第２の目的は、マルチレイヤネットワークを構成する各レイヤのネットワーク間の上位／下位の関係をオペレータが意識せずにサービスパス開通を行うことができるマルチレイヤネットワークオペレーションサポートシステム、マルチレイヤネットワークサービスパス開通方法、処理プログラム及び該処理プログラムを記録した記録媒体、並びにマルチレイヤネットワークサービス監視方法、処理プログラム及び該処理プログラムを記録した記録媒体を提供せんとするものである。
【００１１】
本発明の他の目的は、明細書、図面、特に特許請求の範囲の各請求項の記載から、自ずと明らかとなろう。
【００１２】
【課題を解決するための手段】
本発明システムは、上記課題の解決に当り、マルチレイヤネットワークを構成する各レイヤのネットワークの統括管理を行うオペレーションサポートシステムにおいて、オペレータが使用する外部システムからサービスオーダが送出されると、前記各レイヤのネットワーク間の関係と当該レイヤ毎のネットワーク管理の各機能間の関係に関する情報に基づき、全ての前記レイヤのネットワーク管理の機能を実行する際のシナリオを生成し、当該シナリオから前記ネットワーク管理の機能を実行する際の実行命令を生成するシナリオ機能部と、当該実行命令より当該ネットワーク管理の機能を実行し、前記各レイヤのネットワーク構成に対応して変更自在に設けられるネットワーク管理機能部とを具備する特徴的構成手段を講じる。
【００１３】
一方、本発明サービスパス開通方法は、マルチレイヤネットワークを構成する各レイヤのネットワークの管理を行うオペレーションサポートシステムを用いたサービスパス開通方法であって、オペレータが使用する外部システムからサービスオーダが送信されると、前記オペレーションサポートシステムが、先ず、当該サービスオーダからサービス内容を確認し、次に、当該サービス内容から前記サービスを構成する前記ネットワークを前記レイヤ別に分解し、前記ネットワークの上位／下位の関係性に従って開通順序を記述したシナリオを生成し、続いて、前記レイヤ毎のネットワーク管理の各機能間の実行順序を当該シナリオに記述し、さらに、当該シナリオを前記ネットワーク管理の機能を実行する際の実行命令へと翻訳し、最終的に、当該実行命令に基づき前記ネットワーク管理の機能を実行し、全ての前記レイヤのネットワークの開通を統括的に行う特徴的構成手法を講じる。
【００１４】
また、本発明サービスパス開通処理プログラムは、マルチレイヤネットワークを構成する各レイヤのネットワークの管理を行うオペレーションサポートシステムにインストールされ、サービスパス開通を実行するプログラムであって、当該オペレーションサポートシステムがオペレータが使用する外部システムからサービスオーダを受信すると、先ず、当該サービスオーダからサービス内容を確認させる手順と、次に、当該サービス内容から前記サービスを構成する前記ネットワークを前記レイヤ別に分解し、前記ネットワークの上位／下位の関係性に従って開通順序を記述したシナリオを生成させる手順と、続いて、前記レイヤ毎のネットワーク管理の各機能間の実行順序を当該シナリオに記述させる手順と、さらに、当該シナリオを前記ネットワーク管理の機能を実行する際の実行命令へと翻訳する手順と、最終的に、当該実行命令に基づき前記ネットワーク管理の機能を実行させる手順とを一連実行する特徴的手順を講じる。
【００１５】
さらに、本発明サービスパス開通処理プログラムを記録した記録媒体は、上記本発明サービスパス開通処理プログラムの特徴におけるマルチレイヤネットワークにおいてサービスパス開通を行う処理プログラムを記録した記録媒体であって、当該プログラムを前記マルチレイヤネットワークを構成する各前記レイヤの前記ネットワークを管理可能に構成されたオペレーションサポートシステムに搭載装備して、統括した当該プログラム手順を実行する手続を実録する特徴的手続を講じる。
【００１６】
一方、本発明サービス監視方法は、マルチレイヤネットワークを構成する各レイヤのネットワークの管理を行うオペレーションサポートシステムを用いたサービス監視方法であって、前記各レイヤのネットワークから支障警報が発出されると、前記オペレーションサポートシステムが、先ず、当該支障警報から支障警報内容を確認し、次に、当該支障警報内容から前記サービスを構成する前記ネットワークを前記レイヤ別に分解し、前記ネットワークの上位／下位の関係性に従って支障警報の発生順序を記述したシナリオを生成し、さらに、当該シナリオに前記レイヤ毎のネットワーク構成情報を追記することによりサービス支障情報へと翻訳し、最終的に、当該サービス支障情報をオペレータが使用する画面端末装置に対して通知する特徴的構成手法を講じる。
【００１７】
また、本発明サービス監視処理プログラムは、マルチレイヤネットワークを構成する各レイヤのネットワークの管理を行うオペレーションサポートシステムにインストールされ、サービスパス開通を実行するプログラムであって、当該オペレーションサポートシステムがオペレータが使用する外部システムからサービスオーダを受信すると、先ず、当該サービスオーダからサービス内容を確認させる手順と、次に、当該サービス内容から前記サービスを構成する前記ネットワークを前記レイヤ別に分解し、前記ネットワークの上位／下位の関係性に従って開通順序を記述したシナリオを生成させる手順と、続いて、前記レイヤ毎のネットワーク管理の各機能間の実行順序を当該シナリオに記述させる手順と、さらに、当該シナリオを前記ネットワーク管理の機能を実行する際の実行命令へと翻訳する手順と、最終的に、当該実行命令に基づき前記ネットワーク管理の機能を実行させる手順とを一連実行する特徴的手順を講じる。
【００１８】
さらに、本発明サービス監視処理プログラムを記録した記録媒体は、上記本発明サービス監視処理プログラムの特徴におけるマルチレイヤネットワークにおいてサービス監視を行う処理プログラムを記録した記録媒体であって、当該プログラムを前記マルチレイヤネットワークを構成する各前記レイヤの前記ネットワークを管理可能に構成されたオペレーションサポートシステムに搭載装備して、統括した当該プログラム手順を実行する手続を実録する本発明サービス監視処理プログラムを記録した記録媒体は、特徴的手続を講じる。
【００１９】
さらに詳説すると、当該課題の解決では、本発明が次に列挙するそれぞれの上位概念から下位概念に至る新規な特徴的構成手段、手法、手順又は手続を採用することにより、上記目的を達成するようになされる。
【００２０】
本発明システムの第１の特徴は、マルチレイヤネットワークを構成する各レイヤのネットワークの統括管理を行うオペレーションサポートシステムであって、オペレータが使用する外部システムからサービスオーダが送出されると、前記各レイヤのネットワーク間の関係に関する情報と当該レイヤ毎のネットワーク管理の各機能間の関係に関する情報とに基づき、全ての前記レイヤのネットワーク管理の機能を実行する際のシナリオを生成し、当該シナリオから前記ネットワーク管理の機能を実行する際の実行命令を生成するシナリオ機能部と、当該実行命令より当該ネットワーク管理の機能を実行し、前記各レイヤのネットワーク構成に対応して変更自在に設けられるネットワーク管理機能部と、を具備してなるマルチレイヤネットワークオペレーションサポートシステムの構成採用にある。
【００２１】
本発明システムの第２の特徴は、上記本発明システムの第１の特徴におけるシナリオ機能部は、前記各レイヤのネットワーク間の関係を記述したレイヤ間関係ベースシナリオと当該レイヤ毎のネットワーク管理の各機能間の関係を記述した機能間関係ベースシナリオとを格納するシナリオデータベースと、前記レイヤ毎のネットワーク管理の機能の実行命令情報を格納するネットワーク管理情報データベースと、前記サービスオーダに記述される内容を確認し、当該内容をもとに、前記シナリオデータベースに格納される前記レイヤ間関係ベースシナリオと前記機能間関係ベースシナリオからシナリオを自動生成するシナリオ生成機能部と、当該シナリオを、前記ネットワーク管理情報データベースに格納される前記実行命令情報をもとに前記ネットワーク管理の機能を実行する際の実行命令に翻訳するシナリオ実行管理機能部と、前記オペレータが使用する外部システムと前記シナリオ生成機能部及び前記シナリオ実行管理機能部との間での通信を可能とするアプリケーションインターフェースとを具備してなるマルチレイヤネットワークオペレーションサポートシステムの構成採用にある。
【００２２】
本発明システムの第３の特徴は、上記本発明システムの第２の特徴におけるシナリオ機能部は、前記各レイヤのネットワーク構成情報を格納するネットワーク構成情報データベースを具備し、前記各レイヤのネットワークからの支障警報が前記ネットワーク管理機能部を介して送出される場合にあっては、先ず、前記シナリオ生成機能部が、前記支障警報に記述される支障警報内容を確認し、当該支障警報内容をもとに前記レイヤ間関係ベースシナリオからシナリオを生成し、次いで、前記シナリオ実行管理機能部が、当該シナリオを前記ネットワーク構成情報をもとにサービス支障情報に翻訳し、当該サービス支障情報を前記アプリケーションインターフェースを介してオペレータが使用する画面端末装置へ送信するように機能構成されるマルチレイヤネットワークオペレーションサポートシステムの構成採用にある。
【００２３】
本発明システムの第４の特徴は、上記本発明システムの第２又は第３の特徴におけるシナリオ機能部が、前記シナリオデータベースに格納される前記レイヤ間関係ベースシナリオと前記機能間関係ベースシナリオ及び前記ネットワーク管理情報データベースに格納される前記実行命令情報を対応編集するシナリオ情報管理機能部をも具備してなるマルチレイヤネットワークオペレーションサポートシステムの構成採用にある。
【００２４】
本発明システムの第５の特徴は、上記本発明システムの第２、第３又は第４の特徴におけるシナリオ実行管理機能部が、前記ネットワーク管理機能部がシナリオどおりに前記ネットワーク管理の機能を実行しているかを監視し、処理中に異常が発生した場合にはロールバック処理自在に機能構成されてなるマルチレイヤネットワークオペレーションサポートシステムの構成採用にある。
【００２５】
本発明システムの第６の特徴は、上記本発明システムの第２、第３、第４又は第５の特徴におけるレイヤ間関係ベースシナリオが、サービスを構成する前記ネットワークを前記レイヤ別に分解し、前記ネットワークの上位／下位の順序関係を記述してなるマルチレイヤネットワークオペレーションサポートシステムの構成採用にある。
【００２６】
本発明システムの第７の特徴は、上記本発明システムの第２、第３、第４、第５又は第６の特徴における機能間関係ベースシナリオが、前記レイヤ毎のネットワーク管理の各機能間の連継実行順序を記述してなるマルチレイヤネットワークオペレーションサポートシステムの構成採用にある。
【００２７】
本発明システムの第８の特徴は、上記本発明システムの第１、第２、第３、第４、第５、第６又は第７の特徴におけるネットワーク管理機能部が、前記各レイヤのネットワークを個別に管理するレイヤ毎の管理機能群を内部に並列構成し、当該レイヤ毎のネットワーク管理機能群が管理する全てのサービスを提供する装置に対して前記ネットワーク管理の機能を実行するレイヤ別ネットワーク管理機能部と、前記実行命令を前記各レイヤのネットワーク毎の実行命令に分解し、前記各レイヤのネットワーク管理機能群へ振分け送出するとともに、前記レイヤ別ネットワーク管理機能部の全体の統御を行うレイヤ共通機能部とを具備してなるマルチレイヤネットワークオペレーションサポートシステムの構成採用にある。
【００２８】
本発明システムの第９の特徴は、上記本発明システムの第８の特徴におけるレイヤ別ネットワーク管理機能部が、前記サービスを提供する装置に対応して内部に構成する前記各レイヤのネットワーク管理機能群を付加又は削除入替え自在に構成されてなるマルチレイヤネットワークオペレーションサポートシステムの構成採用にある。
【００２９】
本発明システムの第１０の特徴は、上記本発明システムの第９の特徴におけるレイヤ別ネットワーク管理機能部が、前記シナリオ情報管理機能部に対し、前記ネットワーク管理機能群の付加又は削除入替えに前記レイヤ共通機能部を介して連動自在に接続されてなるマルチレイヤネットワークオペレーションサポートシステムの構成採用にある。
【００３０】
一方、本発明サービスパス開通方法の第１の特徴は、マルチレイヤネットワークを構成する各レイヤのネットワークを統括管理可能に構築されたオペレーションサポートシステムのサービスパス開通方法であって、オペレータが使用する外部システムからサービスオーダが送信されると、前記オペレーションサポートシステムが、先ず、当該サービスオーダからサービス内容を確認し、次に、当該サービス内容から前記サービスを構成する前記ネットワークを前記レイヤ別に分解し、当該ネットワークの上位／下位の順序関係に従って開通順序を記述したシナリオを生成し、続いて、前記レイヤ毎のネットワーク管理の各機能間の連継実行順序を当該シナリオに記述し、さらに、当該シナリオを前記ネットワーク管理の機能を実行する際の実行命令へと翻訳し、最終的に、当該実行命令に基づき前記ネットワーク管理の機能を実行し、全ての前記レイヤのネットワークの開通を統括的に行ってなるマルチレイヤネットワークサービスパス開通方法の構成採用にある。
【００３１】
本発明サービスパス開通方法の第２の特徴は、上記本発明サービスパス開通方法の第１の特徴におけるパス開通方法が、前記実行命令に基づき前記ネットワーク管理の機能を実行した際に、異常が発生した場合には、ロールバック処理を行ってなるマルチレイヤネットワークサービスパス開通方法の構成採用にある。
【００３２】
本発明サービスパス開通方法の第３の特徴は、上記本発明サービスパス開通方法の第１又は第２の特徴におけるパス開通方法が、前記実行命令に基づき前記ネットワーク管理の機能を実行した後に、前記各レイヤのネットワーク構成情報を収集し、蓄積してなるマルチレイヤネットワークサービスパス開通方法の構成採用にある。
【００３３】
また、本発明サービスパス開通処理プログラムの第１の特徴は、マルチレイヤネットワークを構成する各レイヤのネットワークを統括管理可能に構築されたオペレーションサポートシステムにインストールされ、実行するサービスパス開通処理プログラムであって、当該オペレーションサポートシステムがオペレータが使用する外部システムからサービスオーダを受信すると、先ず、当該サービスオーダからサービス内容を確認させる手順と、次に、当該サービス内容から前記サービスを構成する前記ネットワークを前記レイヤ別に分解し、前記ネットワークの上位／下位の順序関係に従って開通順序を記述したシナリオを生成させる手順と、続いて、前記レイヤ毎のネットワーク管理の各機能間の連継実行順序を当該シナリオに記述させる手順と、さらに、当該シナリオを前記ネットワーク管理の機能を実行する際の実行命令へと翻訳させる手順と、最終的に、当該実行命令に基づき前記ネットワーク管理の機能を実行させる手順と、を一連実行してなるマルチレイヤネットワークサービスパス開通処理プログラムの構成採用にある。
【００３４】
本発明サービスパス開通処理プログラムの第２の特徴は、上記本発明サービスパス開通処理プログラムの第１の特徴におけるパス開通処理プログラムが、前記実行命令に基づき前記ネットワーク管理の機能を実行した際に、異常が発生した場合には、ロールバック処理を行わせる手順を実行してなるマルチレイヤネットワークサービスパス開通処理プログラムの構成採用にある。
【００３５】
本発明サービスパス開通処理プログラムの第３の特徴は、上記本発明サービスパス開通処理プログラムの第１又は第２の特徴におけるパス開通処理プログラムが、前記実行命令に基づき前記ネットワーク管理の機能を実行した後に、前記各レイヤのネットワーク構成情報を収集し、蓄積させる手順を実行してなるマルチレイヤネットワークサービスパス開通処理プログラムの構成採用にある。
【００３６】
さらに、本発明サービスパス開通処理プログラムを記録した記録媒体の第１の特徴は、上記本発明サービスパス開通処理プログラムの第１、第２又は第３の特徴におけるマルチレイヤネットワークにおけるサービスパス開通処理プログラムを記録した記録媒体であって、当該プログラムを前記マルチレイヤネットワークを構成する前記各レイヤの前記ネットワークを統括管理可能に構築されたオペレーションサポートシステムに搭載装備して、統括した当該プログラム手順を実践する手続を実録してなるマルチレイヤネットワークサービスパス開通処理プログラムを記録した記録媒体の構成採用にある。
【００３７】
他方、本発明サービス監視方法の第１の特徴は、マルチレイヤネットワークを構成する各レイヤのネットワークの統括管理に構築されたオペレーションサポートシステムのサービス監視方法であって、前記各レイヤのネットワークから支障警報が発出されると、前記オペレーションサポートシステムが、先ず、当該支障警報から支障警報内容を確認し、次に、当該支障警報内容から前記サービスを構成する前記ネットワークを前記レイヤ別に分解し、前記ネットワークの上位／下位の順序関係に従って支障警報の発生順序を記述したシナリオを生成し、さらに、当該シナリオに前記レイヤ毎のネットワーク構成情報を追記することによりサービス支障情報へと翻訳し、最終的に、当該サービス支障情報をオペレータが使用する画面端末装置に対して通知してなるマルチレイヤネットワークサービス監視方法の構成採用にある。
【００３８】
また、本発明サービス監視処理プログラムの第１の特徴は、マルチレイヤネットワークを構成する各レイヤのネットワークの統括管理可能に構築されたオペレーションサポートシステムにインストールされ、実行するサービス監視処理プログラムであって、当該オペレーションサポートシステムが前記各レイヤのネットワークから支障警報を受信すると、先ず、当該支障警報から支障警報内容を確認させる手順と、次に、当該支障警報内容から前記サービスを構成する前記ネットワークを前記レイヤ別に分解し、前記ネットワークの上位／下位の順序関係に従って支障警報の発生順序を記述したシナリオを生成させる手順と、さらに、当該シナリオに前記レイヤ毎のネットワーク構成情報を追記することによりサービス支障情報へと翻訳させる手順と、最終的に、当該サービス支障情報をオペレータが使用する外部装置へ通知させる手順と、を一連実行してなるマルチレイヤネットワークサービス監視処理プログラムの構成採用にある。
【００３９】
さらに、本発明サービス監視処理プログラムを記録した記録媒体の第１の特徴は、上記本発明サービス監視処理プログラムの第１の特徴におけるマルチレイヤネットワークにおけるサービス監視処理プログラムを記録した記録媒体であって、当該プログラムを前記マルチレイヤネットワークを構成する前記各レイヤの前記ネットワークを統括管理可能に構築されたオペレーションサポートシステムに搭載装備して、統括した当該プログラム手順を実践する手続を実録してなるマルチレイヤネットワークサービス監視処理プログラムを記録した記録媒体の構成採用にある。
【００４０】
【発明の実施の形態】
以下、本発明の実施の形態につき、添付図面を参照しつつ、そのシステム及び当該システムを用いたサービスパス開通の方法例、プログラム例及び記録媒体例、並びにサービス監視の方法例、プログラム例及び記録媒体例を説明する。
【００４１】
（システム例）
図１に、本発明のシステム例に係るマルチレイヤネットワークオペレーションサポートシステム１の内部構成を示す。なお、本図は本発明システムを実施する際の一例を示すものである。
【００４２】
図示するように、マルチレイヤネットワークオペレーションサポートシステム１は、シナリオ機能部２とネットワーク管理機能部３とで内部構成される。シナリオ機能部２は、シナリオ生成機能部４、シナリオ実行管理機能部５、シナリオ情報管理機能部６、シナリオデータベース７、ネットワーク管理情報データベース８、ネットワーク構成情報データベース９及びアプリケーションインターフェース１０を内部に構成している。以下、各構成要素について説明する。
【００４３】
シナリオ生成機能部４は、オペレータから送出されたサービスオーダからシナリオデータベース７に格納されたレイヤ間関係ベースシナリオや機能間関係ベースシナリオを用いてシナリオを生成する。
【００４４】
シナリオ実行管理機能部５は、シナリオ生成機能部４により生成されたシナリオをネットワーク管理情報データベース８に格納されるネットワーク管理機能の実行命令情報を用いて翻訳し、翻訳後の実行命令を当該シナリオに記述されている実行順序に従って、レイヤ共通機能部１１へ送出する。また、支障警報をもとにしたシナリオを受信した場合には、ネットワーク構成情報データベース９に格納されるネットワーク構成情報をシナリオに追記してサービス支障情報へと翻訳する機能をも有する。
【００４５】
なお、シナリオ実行管理機能部５は、シナリオの内容どおりにレイヤ別ネットワーク管理機能部１２が処理を実行しているかを監視し、処理中に異常が発生した場合にはロールバック処理を行う機能をも有する様に構成することもできる。
【００４６】
シナリオ情報管理機能部６は、シナリオデータベース７に格納されるベースシナリオ及び、ネットワーク管理情報データベース８に格納される各レイヤのネットワーク管理用の実行命令に関する情報を編集（追加／修正）することができる。
【００４７】
すなわち、ネットワークが変更された場合に、シナリオ情報管理機能部６がシナリオデータベース７及びネットワーク管理情報データベース８の内容を変更することによりネットワーク変更に対して柔軟に対応することができることになる。なお、シナリオ情報管理機能部６は、これらのデータベースの内容の変更を自動で行うように機能構成することもできる。
【００４８】
シナリオデータベース７には、上述したように、レイヤの上位／下位の順序関係を記述したレイヤ間関係ベースシナリオとレイヤ毎のネットワーク管理の各機能の連継実行順序関係を記述した機能間関係ベースシナリオとが格納される。
【００４９】
ネットワーク管理情報データベース８には、各レイヤのネットワーク管理機能の実行命令に関する情報が格納される。また、ネットワーク構成情報データベース９には、サービス毎のネットワーク構成情報が格納される。当該ネットワーク構成情報は、シナリオ実行管理機能部５により編集されたり、利用されることになる。
【００５０】
また、シナリオ機能部２は、その他としてアプリケーションインターフェース１０を内部に構成しておく。アプリケーションインターフェース１０は、シナリオ生成機能部４及びシナリオ実行管理機能部５とオペレータが使用する外部システム１６や画面端末装置１７とをマルチレイヤネットワークオペレーションサポートシステム１専用のネットワークを介して接続される際のインターフェースとなるものである。
【００５１】
オペレータは、外部システム１６、画面端末装置１７等を通してマルチレイヤネットワークオペレーションサポートシステム１にサービスオーダを送出したり、ネットワークからの支障警報を受信したりする。外部システム１６は、例えばネットワークインターフェースを有するパーソナルコンピュータ等であり、ネットワークを介してマルチレイヤネットワークオペレーションサポートシステム１に指示を送出する機能を有する限りにおいてはどのようなものであってもよい。
【００５２】
同様にして、画面端末装置１７は、マルチレイヤネットワークオペレーションサポートシステム１からの各種情報を視覚にて確認できるように構成されている限りにおいてはどのようなものであってもよい。
【００５３】
続いて、ネットワーク管理機能部３の構成要素について説明する。ネットワーク管理機能部３は、レイヤ共通機能部１１とレイヤ別ネットワーク管理機能部１２を内部に構成する。
【００５４】
レイヤ共通機能部１１は、シナリオ実行機能管理部５から送出される実行命令をレイヤ別ネットワーク管理機能部１２内に構築されている各レイヤのネットワーク管理機能群１３〜１５へと送出したり、反対に各レイヤのネットワーク管理機能群１３〜１５から送られる各種情報をシナリオ生成機能部４へと送出する機能を有する。
【００５５】
レイヤ別ネットワーク管理機能部１２は、内部に各レイヤのネットワーク管理機能群１３〜１５を構成している。本図では、Ｏｐｔｉｃａｌネットワークの管理機能を実行するＯｐｔｉｃａｌネットワーク管理機能群１３、ＳＯＮＥＴ／ＳＤＨ（Ｓｙｎｃｈｒｏｎｏｕｓ  Ｏｐｔｉｃａｌ  Ｎｅｔｗｏｒｋ／Ｓｙｎｃｈｒｏｎｏｕｓ  Ｄｉｇｉｔａｌ  Ｈｉｅｒａｒｃｈｙ  ）ネットワーク管理機能群１４及びＥｔｈｅｒネットワーク管理機能群１５を内部に含んでいる。
【００５６】
ここで、Ｏｐｔｉｃａｌネットワーク管理機能群１３は、Ｏｐｔｉｃａｌネットワーク２８における構成管理機能、支障管理機能、性能管理機能等を実行する機能部の集合であり、ＳＯＮＥＴ／ＳＤＨネットワーク管理機能群１４及びＥｔｈｅｒネットワーク管理機能群１５についても同様である。
【００５７】
そして、Ｏｐｔｉｃａｌネットワーク管理機能群１３は、これらの機能をＯｐｔｉｃａｌサービス２４を提供するＯｐｔｉｃａｌ装置１９に対して実行する。ＳＯＮＥＴ／ＳＤＨネットワーク管理機能群１４、Ｅｔｈｅｒネットワーク管理機能群１５についても同様な構成となっている。
【００５８】
また、Ｏｐｔｉｃａｌネットワーク管理機能群１３、ＳＯＮＥＴ／ＳＤＨネットワーク管理機能群１４及びＥｔｈｅｒネットワーク管理機能群１５は、さらにマルチレイヤ装置２２とも接続可能に構成されることもある。このマルチレイヤ装置２２は、Ｏｐｔｉｃａｌサービス２４、ＳＯＮＥＴ／ＳＤＨサービス２６、Ｅｔｈｅｒサービス２５等を同時に提供できるものである（図２参照）。
【００５９】
ここで、レイヤ別ネットワーク管理機能部１２は、その内部にＯｐｔｉｃａｌネットワーク管理機能群１３等の各レイヤのネットワーク管理機能群１３〜１５を入替え自在に構成されている。即ち、Ｅｔｈｅｒネットワークを新たに追加する場合には、レイヤ別ネットワーク管理機能部１２内にＥｔｈｅｒネットワーク管理機能群１５を入替え自在に構成される。
【００６０】
また、レイヤ別ネットワーク管理機能部１２は、その内部において各レイヤのネットワーク管理機能群１３〜１５の付加又は削除入替えがあると、レイヤ共通機能部１１を介して、シナリオ情報管理機能部６にその入替えがあった旨と付加又は削除があった各レイヤのネットワークを通知するように機能構成することもできる。そして、上述したように、それに対応して、シナリオ情報管理機能部６は、通知を受けた後にシナリオデータベース７及びネットワーク管理情報データベース８の内容を自動で編集するように機能構成することもできる。
【００６１】
具体的に、本発明のシステム例であるマルチレイヤネットワークオペレーションサポートシステム１を用いたネットワーク変更に対する対応を説明すると、以下のようになる。
【００６２】
例えば、Ｅｔｈｅｒネットワーク３０を新たに追加する場合には、まず、レイヤ別ネットワーク管理機能部１２にＥｔｈｅｒネットワーク３０の管理を行うＥｔｈｅｒネットワーク管理機能群１５を追加する。次に、シナリオ情報管理機能部６が、シナリオデータベース７及びネットワーク管理情報データベース８に格納される内容にＥｔｈｅｒネットワーク３０の各種情報を追加する。これにより、ネットワークの変更に対応できる。
【００６３】
また、上述したように、Ｅｔｈｅｒネットワーク管理機能群１５が追加されたことがレイヤ別ネットワーク管理機能部１２により感知されると、それを契機としてシナリオ情報管理機能部６が、これらデータベースの編集作業を行うようにすることもできる。
【００６４】
続いて、各レイヤのネットワーク（Ｏｐｔｉｃａｌネットワーク２８、ＳＯＮＥＴ／ＳＤＨネットワーク２９、Ｅｔｈｅｒネットワーク３０等）から支障警報が発せられた場合の、本システム例の各構成要素の動作について説明する。
【００６５】
先ず、装置１８内の各レイヤの装置（Ｏｐｔｉｃａｌ装置１９、ＳＯＮＥＴ／ＳＤＨ装置２０、Ｅｔｈｅｒ装置２１等）又はマルチレイヤ装置２２がレイヤ別ネットワーク管理機能部１２に対し支障警報を発出する。レイヤ別ネットワーク管理機能部１２はそれぞれのネットワークからの支障警報をレイヤ共通機能部１１に通知し、レイヤ共通機能部１１にて、各支障警報をまとめる。
【００６６】
次に、シナリオ生成機能部４が当該支障警報を受信するとともに、支障警報の内容を確認する。そして、シナリオデータベース７に格納されるレイヤ間ベースシナリオを用いて支障警報をネットワークの上位／下位の順序関係性を考慮して並べかえ、シナリオを生成する。その後、シナリオをシナリオ実行管理機能部５に送出する。
【００６７】
シナリオ実行管理機能部５は、当該シナリオをネットワーク構成情報データベース９に格納される各レイヤのネットワーク構成情報を用いてサービス支障情報に翻訳する。そして、最終的に当該サービス支障情報をアプリケーションインターフェース１０を介してオペレータが使用する画面端末装置１７等へ送信する。
【００６８】
以上、本発明のシステム例を実施することにより、サービスパス開通等のオペレーションを各レイヤのネットワーク毎に個々に行うことなく、一括してオペレーションができる。また、各レイヤのネットワーク管理機能群の入替えが自在に構築されるため、各レイヤのネットワーク毎にオペレーションサポートシステムを用意する必要がなく、ネットワークの変更に対して柔軟に追随することができる。
【００６９】
また、上記した通り、本発明のシステム例の構成を一切変えずに、サービスパス開通（本発明のシステム例を用いたサービスパス開通方法例については後述する。）だけでなく、マルチレイヤネットワークにおけるネットワーク監視についても容易に行うことができ、マルチレイヤネットワークの統合管理を可能とするものである。
【００７０】
（サービスパス開通方法例）
次に、本発明のシステム例に係るマルチレイヤオペレーションサポートシステム１を用いたサービスパス開通方法の方法例につき説明する。
【００７１】
マルチレイヤネットワークでは既存のネットワーク技術を複合した多種多様な装置、インターフェースで構成される特徴があるが、マルチレイヤネットワーク構成をネットワーク管理の観点から抽象化することにより図２に示す構成規則にまとめることができる。即ち、図２はＯｐｔｉｃａｌサービス２４、ＳＯＮＥＴ／ＳＤＨサービス２６、Ｅｔｈｅｒサービス２５、ＡＴＭ（Ａｓｙｎｃｈｒｏｎｏｕｓ  Ｔｒａｎｓｆｅｒ  Ｍｏｄｅ）サービス２７をそれぞれ開通する際のネットワークパス開通順序を示すものである。
【００７２】
図２のようなマルチレイヤネットワークを例に、Ｅｔｈｅｒサービス２５を開通する場合のサービスパス開通方法を説明する。Ｅｔｈｅｒサービス２５のパスを開通する場合の一例として、最初にＯｐｔｉｃａｌネットワーク２８−ＳＯＮＥＴ／ＳＤＨネットワーク２９間のパス開通（ＳＴａ）、次にＳＯＮＥＴ／ＳＤＨネットワーク２９−Ｅｔｈｅｒネットワーク３０間のパス開通（ＳＴｂ）を行うことで、サービスパスを開通する必要があることを図２では示している。
【００７３】
このレイヤ間の開通順序は、レイヤ間関係ベースシナリオとしてシナリオデータベース７に格納されており、サービス開通時に参照することで、開通順序を決定することができるようになる。また、この開通順序は、使用するネットワークの構成により変化するものとし、ネットワークの構成によってベースシナリオも変更可能である。
【００７４】
また、レイヤ別のネットワーク管理機能群１３〜１５のサービスパス開通を行う際の各機能の実行順序に関する機能間関係ベースシナリオも上述したとおり、シナリオデータベース７に格納されており、ネットワークの構成によって変更可能となるものである。そして、これらベースシナリオは上述したとおり、シナリオ情報管理機能部６によって変更される。
【００７５】
以上のサービスパス開通方法を図３、図４を用いて具体的に説明する。図３は、ある地点間のネットワークの構成を示すものである。本図は、Ｅｔｈｅｒネットワーク３０のサービスパスをＡ地点からＢ地点まで開通しようとした場合に、そのネットワーク構成からａ地点からｂ地点までのＯｐｔｉｃａｌネットワーク２８とＳＯＮＥＴ／ＳＤＨネットワーク２９のパスを先に開通しておく必要があることを示している。
【００７６】
以上のネットワーク構成をもとに、本発明のシステム例に係るマルチレイヤネットワークオペレーションサポートシステム１を用いたサービスパス開通方法を、Ｅｔｈｅｒネットワーク３０のパス開通を行う場合につき説明する。図４は、サービスパス開通方法例のフローを示すものである。以下、本図に従って説明する。
【００７７】
先ず、オペレータが外部システム１６上でサービスオーダを送信すると、アプリケーションインターフェース１０を介して当該サービスオーダがシナリオ生成機能部４で受信される（ＳＴ１１）。ここで、図５にサービスオーダの内容の記載例を示す。但し、サービスオーダの記載内容はこれに限られるものではなく、あくまで一例として挙げたものである。ここでは、Ｅｔｈｅｒサービス２５のパス開通を行うためにＥｔｈｅｒネットワーク３０だけが記述されている点に注目すべきである。
【００７８】
シナリオ生成機能部４は、当該サービスオーダからサービス内容を確認する（ＳＴ１２）。ここでは、パス開通の対象がＥｔｈｅｒネットワーク３０であることが確認される。その後、シナリオ生成機能部４は、シナリオデータベース７に格納されるＥｔｈｅｒネットワーク３０の開通順序が記述されたレイヤ間関係ベースシナリオを参照し、各レイヤのネットワーク間の開通順序を記述したシナリオを生成する（ＳＴ１３）。
【００７９】
続いて、シナリオ生成機能部４は、シナリオデータベース７に格納される各レイヤのネットワーク管理のサービスパス開通のための各機能間の実行順序を記述した機能間関係ベースシナリオを参照し、生成したシナリオに各機能間の実行順序を記述していく。以上のシナリオ生成過程を図６にシナリオデータベース７の内容として示す。また、図７には、生成されたシナリオの一例を示す。
【００８０】
ここで、図示される様に、レイヤ間関係ベースシナリオの開通順序はＯｐｔｉｃａｌネットワーク２８、ＳＯＮＥＴ／ＳＤＨネットワーク２９、Ｅｔｈｅｒネットワーク３０の順に記述されている。なお、図６及び図７の内容はあくまでも、一例であり、これに限られるものでないということは言うまでもない。
【００８１】
次に、生成された当該シナリオは、シナリオ実行管理機能部５に送出される。そして、シナリオ実行管理機能部５は、ネットワーク管理情報データベース８に格納される各レイヤのネットワーク管理機能の実行命令に関する情報とシナリオを対比し、当該シナリオを各レイヤのネットワーク管理機能群１３〜１５が実行可能に記述された実行命令に翻訳する（ＳＴ１５）。図８にネットワーク管理情報データベースの内容を示すが、これはあくまでも一例である。本図は、シナリオに記載された情報と各レイヤのネットワーク管理機能群１３〜１５が実行可能な実行命令との対照表となっている。
【００８２】
その後、実行命令はレイヤ共通機能部１１を介して、レイヤ別ネットワーク管理機能部１２内に構築されている各レイヤのネットワーク管理機能群（Ｏｐｔｉｃａｌネットワーク管理機能群１３、ＳＯＮＥＴ／ＳＤＨネットワーク管理機能群１４、Ｅｔｈｅｒネットワーク管理機能群１５等）に送出される（ＳＴ１６）。
【００８３】
各レイヤのネットワーク管理機能群（Ｏｐｔｉｃａｌネットワーク管理機能群１３、ＳＯＮＥＴ／ＳＤＨネットワーク管理機能群１４、Ｅｔｈｅｒネットワーク管理機能群１５等）は、受信した実行命令に従い処理を実行する（ＳＴ１７）。
【００８４】
このとき、シナリオ実行管理機能部５は、各レイヤのネットワーク管理機能群１３〜１５の処理の実行状態の遷移を監視し、処理中に異常が発生した場合には、予め決められたロールバックポイントまでロールバック処理を行うことができるように設計しておくこともできる（ＳＴ２０）。また、その後に各レイヤのネットワーク管理機能群１３〜１５がはじめから処理を実行できるように設計しておくことも可能である。
【００８５】
各レイヤのネットワーク管理機能群１３〜１５が処理を行った結果（ＳＴ１８）、正常に終了した場合には、当該処理結果をシナリオ実行管理機能部５に通知する（ＳＴ１９）。その後、シナリオ実行管理機能部５では、処理結果を受信後、各レイヤのネットワーク構成情報を各レイヤのネットワーク管理機能群１３〜１５を介してネットワークおよび装置１８から収集するとともに、収集したネットワーク構成情報をネットワーク構成情報データベース９に格納する（ＳＴ２１）。
【００８６】
また、シナリオ実行管理機能部５は、サービスパス開通結果をアプリケーションインターフェース１０を介して、オペレータに通知する（ＳＴ２１）。
【００８７】
以上の処理を順次行うことで、Ｅｔｈｅｒネットワーク３０のサービスパスは開通する。このように、Ｅｔｈｅｒネットワーク３０を例に具体的なサービスパス開通方法を説明したが、他のレイヤのサービスにおいても、同様の処理を実施することで、サービスパス開通を実現することができる。
【００８８】
（サービスパス開通処理プログラム例）
本サービスパス開通処理プログラム例は、サービスパス開通方法例に対応したものであり、処理手順は、図４に示したフローをアルゴリズム化したものである。
【００８９】
本サービスパス開通処理プログラム例を実施するに際しては、予め、本サービスパス開通処理プログラムを、外部システム１６、画面端末装置１７や各レイヤのネットワークのサービスを提供する装置１８（Ｏｐｔｉｃａｌ装置１９、ＳＯＮＥＴ／ＳＤＨ装置２０、Ｅｔｈｅｒ装置２１、マルチレイヤ装置２２等を内部に構築する。）等とネットワークを介して接続自在なコンピュータ（ＣＰＵ、メモリ、ネットワークインターフェースなどを具備した電子計算機）であって、マルチレイヤネットワークを構成する各レイヤのネットワークを管理可能に構成されたオペレーションサポートシステムに読み込ませておく。
【００９０】
先ず、オペレータから発出されたサービスオーダを、アプリケーションインターフェース１０を介してシナリオ生成機能部４で受信する（ＳＴ１１）と、シナリオ生成機能部４に当該サービスオーダからサービス内容を確認させる手順（ＳＴ１２）と、当該サービス内容からシナリオデータベース７に格納されるレイヤ間関係ベースシナリオを参照し、ネットワークの上位／下位の関係性に従った開通順序を記述したシナリオを生成させる手順（ＳＴ１３）と、シナリオデータベース７に格納される機能間関係ベースシナリオを参照し、各レイヤのネットワーク管理の機能を実行する際の実行命令を当該シナリオに記述させる手順（ＳＴ１４）とを順次実行する。
【００９１】
次に、シナリオ実行管理機能部５に、当該シナリオをネットワーク管理情報データベース８に格納される各レイヤのネットワーク管理のサービスパス開通の際の各機能を実行する際の実行命令へと翻訳させる手順（ＳＴ１５）を実行し、最終的に、レイヤ別ネットワーク管理機能部１２内に構築されている各レイヤのネットワーク管理機能群（Ｏｐｔｉｃａｌネットワーク管理機能群１３、ＳＯＮＥＴ／ＳＤＨネットワーク管理機能群１４、Ｅｔｈｅｒネットワーク管理機能群１５等）に当該実行命令に基づき、ネットワーク管理の機能を実行させる手順（ＳＴ１７）とを順次実行する。
【００９２】
ここで、シナリオ実行管理機能部５に、ＳＴ１７の手順の実行の際に、実行状態の遷移を監視し、処理中に異常が発生した場合には、予め決められたロールバックポイントまでロールバック処理を行わせる手順（ＳＴ２０）を行うことができるように、本サービスパス開通処理プログラムを設計することも可能である。また、その後に各レイヤのネットワーク管理機能群１３〜１５がはじめから手順を実行させることができるように設計しておくことも可能である。
【００９３】
また、本サービスパス開通処理プログラムは、その後、各レイヤのネットワーク管理機能群１３〜１５が上記ＳＴ１７の手順を行った結果（ＳＴ１８）、正常に終了した場合には、当該処理結果をシナリオ実行管理機能部５に通知させる手順（ＳＴ１９）と、シナリオ実行管理機能部５に、処理結果を受信後、各レイヤのネットワーク構成情報を各レイヤのネットワーク管理機能群１３〜１５を介してネットワーク及び装置１８から収集するとともに、収集したネットワーク構成情報をネットワーク構成情報データベース９に格納させる手順（ＳＴ２１）とを順次一連実行することになる。
【００９４】
（サービスパス開通処理プログラム記録媒体例）
また、本発明のサービスパス開通処理プログラム記録媒体例は、上記サービスパス開通処理プログラムを、外部システム１６、画面端末装置１７や各レイヤのネットワークのサービスを提供する装置１８（Ｏｐｔｉｃａｌ装置１９、ＳＯＮＥＴ／ＳＤＨ装置２０、Ｅｔｈｅｒ装置２１、マルチレイヤ装置２２等を内部に構築する。）等とネットワークを介して接続自在なコンピュータ（ＣＰＵ、メモリ、ネットワークインターフェースなどを具備した電子計算機）であって、マルチレイヤネットワークを構成する各レイヤのネットワークを管理可能に構成されたオペレーションサポートシステムに読み込ませておき、前記本サービスパス開通処理プログラム例の実行手順により実践するコンピュータ読取可能に記録した記録媒体である。
【００９５】
（サービス監視方法例）
次に、本発明のシステム例に係るマルチレイヤネットワークオペレーションサポートシステム１を用いたサービス監視方法の方法例につき説明する。監視対象のネットワークのネットワーク構成は、上述したサービスパス開通方法例で用いた図３を援用することとする。具体的にネットワーク支障が発生した場合の本サービス監視方法例を説明すると以下のようになる。
【００９６】
図３に示すａ地点−ｂ地点間のＯｐｔｉｃａｌネットワーク２８に支障が発生した場合、サービスを構成する全てのレイヤのネットワークから複数の支障警報が通知されることになる。図９には、当該支障警報をサービス支障情報として特定する様子を示すフロー図である。以下、本図に従って説明する。
【００９７】
先ず、Ｏｐｔｉｃａｌネットワーク２８で支障が発生すると、上述したようにＯｐｔｉｃａｌネットワーク２８、ＳＯＮＥＴ／ＳＤＨネットワーク２９及びＥｔｈｅｒネットワーク３０から支障警報が発出される。そして当該支障警報を各レイヤのネットワーク管理機能群（Ｏｐｔｉｃａｌネットワーク管理機能群１３、ＳＯＮＥＴ／ＳＤＨネットワーク管理機能群１４、Ｅｔｈｅｒネットワーク管理機能群１５等）が受信する（ＳＴ３１）。
【００９８】
続いて、当該支障警報はレイヤ共通機能部１１でまとめられ、シナリオ生成機能部４へと送出される。シナリオ生成機能部４は、支障警報内容を確認し（ＳＴ３２）、シナリオデータベースに格納されるレイヤ間関係ベースシナリオを参照し、当該支障警報をレイヤ間の上位／下位の順序関係に従って並べかえたシナリオを生成する（ＳＴ３３）。このときのレイヤ間ベースシナリオは、先に説明した図６に示すとおりである。
【００９９】
図１０にこのとき、生成されたシナリオ例を示す。但し、図１０のシナリオ例はあくまでも一例であり、これに限られるものでないということは言うまでもない。その後、当該シナリオはシナリオ実行管理機能部５に送出される。
【０１００】
次に、シナリオ実行管理機能部５は、シナリオに記述されている支障警報の内容をもとに、ネットワーク構成情報データベース９に格納される各レイヤのネットワーク構成情報をシナリオに追記し、サービス支障情報を生成する（ＳＴ３４）。このとき生成されたサービス支障情報は、例えば、図１１のようになる。
【０１０１】
最終的に、当該サービス支障情報がアプリケーションインターフェース１０を介してオペレータに通知される（ＳＴ３５）。オペレータはこのサービス支障情報をもとに、ネットワークの支障状態とサービス毎のネットワーク構成を把握することが可能となる。
【０１０２】
（サービス監視処理プログラム例）
本サービス監視処理プログラム例は、サービス監視方法例に対応したものであり、処理手順は、図９に示したフローをアルゴリズム化したものである。
【０１０３】
本サービス監視処理プログラム例を実施するに際しては、予め、本サービス監視処理プログラムを、外部システム１６、画面端末装置１７や各レイヤのネットワークのサービスを提供する装置１８（Ｏｐｔｉｃａｌ装置１９、ＳＯＮＥＴ／ＳＤＨ装置２０、Ｅｔｈｅｒ装置２１、マルチレイヤ装置２２等を内部に構築する。）等とネットワークを介して接続自在なコンピュータ（ＣＰＵ、メモリ、ネットワークインターフェースなどを具備した電子計算機）であって、マルチレイヤネットワークを構成する各レイヤのネットワークを管理可能に構成されたオペレーションサポートシステムに読み込ませておく。
【０１０４】
先ず、各レイヤのネットワーク（Ｏｐｔｉｃａｌネットワーク２８、ＳＯＮＥＴ／ＳＤＨネットワーク２９、Ｅｔｈｅｒネットワーク３０）から発出された支障警報を、レイヤ別ネットワーク管理機能部１２内に構築されている各レイヤのネットワーク管理機能群（Ｏｐｔｉｃａｌネットワーク管理機能群１３、ＳＯＮＥＴ／ＳＤＨネットワーク管理機能群１４、Ｅｔｈｅｒネットワーク管理機能群１５等）で受信する（ＳＴ３１）と、当該支障警報はレイヤ共通機能部１１でまとめられ、シナリオ生成機能部４に当該支障警報から支障警報内容を確認させる手順（ＳＴ３２）と、当該支障警報内容からシナリオデータベース７に格納されるレイヤ間関係ベースシナリオを参照し、当該支障警報をレイヤ間の上位／下位の順序関係に従って並べ替えたシナリオを生成させる手順（ＳＴ３３）と、シナリオ実行管理機能部５が、当該シナリオにネットワーク構成情報データベース９に格納される各レイヤのネットワーク構成情報をシナリオに追記することにより、サービス支障情報へと翻訳させる手順（ＳＴ３４）と、最終的に、当該サービス支障情報をアプリケーションインターフェース１０を介してオペレータが使用する画面端末装置１７等の外部装置へ通知させる手順（ＳＴ３５）とを順次一連実行することになる。
【０１０５】
（サービス監視処理プログラム記録媒体例）
また、本発明のサービス監視処理プログラム記録媒体例は、上記サービス監視処理プログラムを、外部システム１６、画面端末装置１７や各レイヤのネットワークのサービスを提供する装置１８（Ｏｐｔｉｃａｌ装置１９、ＳＯＮＥＴ／ＳＤＨ装置２０、Ｅｔｈｅｒ装置２１、マルチレイヤ装置２２等を内部に構築する。）等とネットワークを介して接続自在なコンピュータ（ＣＰＵ、メモリ、ネットワークインターフェースなどを具備した電子計算機）であって、マルチレイヤネットワークを構成する各レイヤのネットワークを管理可能に構成されたオペレーションサポートシステムに読み込ませておき、前記本サービス監視処理プログラム例の実行手順により実践するコンピュータ読取可能に記録した記録媒体である。
【０１０６】
以上、本発明の代表的なシステム例、サービスパス開通方法例、サービスパス開通処理プログラム例及び該処理プログラムを記録した記録媒体例、並びにサービス監視方法例、サービス監視処理プログラム例及び該処理プログラムを記録した記録媒体例について説明したが、本発明は、必ずしも上記した事項に限定されるものではない。本発明の目的を達成し、下記する効果を奏する範囲において、適宜変更実施可能である。
【０１０７】
【発明の効果】
以上説明したように、本発明によれば、ネットワーク構成情報等の知識情報をデータベース化するため、ユーザは簡単な操作でパス開通等のオペレーションを実行することができる。また、各種情報をデータベース化することによって、新たにネットワークやサービスを追加するなどの変更に対する追随が容易となる。
【０１０８】
また、サービスパス開通処理の順序等をシナリオ化することにより、シーケンシャルに行う動作の記述が簡易に行われる。また、オペレーションとネットワーク管理機能用の実行命令をベースシナリオとしてデータベースに格納し、シナリオを経由させることで、オペレーションまたはネットワーク管理機能用の実行命令情報の変更が及ぼす影響を少なくすることができる。
【０１０９】
さらに、ネットワーク管理機能部内に各レイヤのネットワークの管理機能群を入替えることができるため、ネットワークの変更に対応して新たにオペレーションサポートシステムを用意する必要性がなくなる。
【図面の簡単な説明】
【図１】本発明の一実施形態に係るマルチレイヤネットワークオペレーションサポートシステムの構成を示すブロック図である。
【図２】マルチレイヤネットワークを構成するサービスとネットワークの関係図であり、サービスパスの開通順序を示す図である。
【図３】ある地点間のネットワークの構成を示す図である。
【図４】本発明の一実施形態に係るサービスパス開通方法例のフローを示す図である。
【図５】本発明の一実施形態に係るサービスパス開通方法例におけるサービスオーダの内容を示す図である。
【図６】本発明の一実施形態に係るシナリオデータベースの内容を示す図である。
【図７】本発明の一実施形態に係るサービスパス開通方法例におけるシナリオの内容を示す図である。
【図８】本発明の一実施形態に係るネットワーク管理情報データベースの内容を示す図である。
【図９】本発明の一実施形態に係るサービス監視方法例のフローを示す図である。
【図１０】本発明の一実施形態に係るサービス監視方法例におけるシナリオの内容を示す図である。
【図１１】本発明の一実施形態に係るサービス監視方法例におけるサービス支障情報の内容を示す図である。
【図１２】従来のオペレーションサポートシステムを用いたネットワークオペレーションを示す図である。
【符号の説明】
１…マルチレイヤネットワークオペレーションサポートシステム
２…シナリオ機能部
３…ネットワーク管理機能部
４…シナリオ生成機能部
５…シナリオ実行管理機能部
６…シナリオ情報管理機能部
７…シナリオデータベース
８…ネットワーク管理情報データベース
９…ネットワーク構成情報データベース
１０…アプリケーションインターフェース
１１…レイヤ共通機能部
１２…レイヤ別ネットワーク管理機能部
１３…Ｏｐｔｉｃａｌネットワーク管理機能群
１４…ＳＯＮＥＴ／ＳＤＨネットワーク管理機能群
１５…Ｅｔｈｅｒネットワーク管理機能群
１６…外部システム
１７…画面端末装置
１８…装置
１９…Ｏｐｔｉｃａｌ装置
２０…ＳＯＮＥＴ／ＳＤＨ装置
２１…Ｅｔｈｅｒ装置
２２…マルチレイヤ装置
２３…マルチレイヤネットワークサービス
２４…Ｏｐｔｉｃａｌサービス
２５…Ｅｔｈｅｒサービス
２６…ＳＯＮＥＴ／ＳＤＨサービス
２７…ＡＴＭサービス
２８…Ｏｐｔｉｃａｌネットワーク
２９…ＳＯＮＥＴ／ＳＤＨネットワーク
３０…Ｅｔｈｅｒネットワーク
３１…ＡＴＭネットワーク
３２…サービス管理システム
３３…サービスオーダ
３４…ネットワーク設計システム
３５ａ、３５ｂ、３５ｃ…ネットワーク開通指示
３６…Ｏｐｔｉｃａｌネットワークオペレーションサポートシステム
３７…ＳＯＮＥＴ／ＳＤＨネットワークオペレーションサポートシステム
３８…Ｅｔｈｅｒネットワークオペレーションサポートシステム
【図１】
2004266443.tif 000003
【図２】
2004266443.tif 000004
【図３】
2004266443.tif 000005
【図４】
2004266443.tif 000006
【図５】
2004266443.tif 000007
【図６】
2004266443.tif 000008
【図７】
2004266443.tif 000009
【図８】
2004266443.tif 000010
【図９】
2004266443.tif 000011
【図１０】
2004266443.tif 000012
【図１１】
2004266443.tif 000013
【図１２】
2004266443.tif 000014